(57)【要約】【課題】新設直後などに第二ドレン管からガスがバイパスして排出されるのを短時間で防止することができる油タンク用のガス放出装置を提供する。【解決手段】この発明による油タンク用のガス放出装置１は従来例に対し、第一ドレン管７の油の排出側端部を第二ドレン管５のシール部５１に接続する。【選択図】図１
2004245065.tif 000002
【特許請求の範囲】
【請求項１】
油タンク内のガスを配管を介して油タンクが設置された建屋の外部に放出する油タンク用のガス放出装置において、
前記配管のガスの放出側端部に設置されて放出される前記ガスに含まれる油分を捕集する油分捕集体と、この油分捕集体で捕集された油を油分捕集体から排出する第一ドレン管と、前記油分が前記配管中で液化することで生成された油を配管から排出すると共に，この油を用いて前記ガスのバイパスを防止するシール部を有する第二ドレン管とを備え、前記第一ドレン管の油の排出側端部はこの端部から排出される油が前記シール部に流入されるように第二ドレン管に接続されることを特徴とする油タンク用のガス放出装置。
【発明の詳細な説明】
【０００１】
【発明の属する技術分野】
この発明は、例えば、蒸気タービンのような大形回転機械の軸受に潤滑油を供給する潤滑油供給装置に備えられた潤滑油貯留用の油タンクに設けられ、油タンク内のガスを屋外に放出する油タンク用のガス放出装置に関する。
【０００２】
【従来の技術】
従来の油タンク用のガス放出装置では、油タンク内のガスを配管により油タンクが設置された建家の外に放出すると共に、配管のガスの放出側端部に設置されてガスに含まれる油分を捕集する油分捕集体と，この油分捕集体で捕集された油を油分捕集体から排出するドレン管（第一のドレン管）とを備え、ガスに含まれる油分による建家周辺部の汚染の発生を防止している（例えば、特許文献１参照。）。
【０００３】
１０年  特許願  第２５７２９５  ところがこの種の油タンク用のガス放出装置には、ガスに含まれる油分が配管中で液化することで生成された液状の油を配管から排出する第二のドレン管も、ほとんどの場合に備えられている。以下に、この第二のドレン管を備えた異なる従来例の油タンク用のガス放出装置の構成の概要を図２を用いて説明する。図２において、９は、建屋２１の屋内に設置された油タンク１１内のガスを吸引する吸引ファン１３，ガス放出用の配管１５，油分捕集体６，第一ドレン管７，第二ドレン管５，油処理体８などを備えた異なる従来例の油タンク用のガス放出装置であり、第二ドレン管５を除いては特許文献１で他の実施の形態例として示された装置と同じ構成を備えている。
【０００４】
なお図２に示した事例では、油分捕集体６はガス中の油分を液化して捕集する捕集部６１に金網を用い、捕集部６１で捕集された油を受け止める油受け６２，捕集された油への雨水の混入などを防止する傘６ａを備える。油受け６２に受け止められた油は、第一ドレン管７を介して油処理体８に流れ込む。油分捕集体６の設置位置は、ガスに油分が含まれていることで防災上の規制（我国では消防法）により建屋２１のかなり高い位置に設置を要するので、配管１５の建屋２１の屋内には相対的に低位の部位が形成される。また、油処理体８は捕集された油を回収するための容器として示されている。
【０００５】
ところで、油ミストなどとしてガス中に含まれる油分は配管１５内を通流するうちに大気などで冷却され、配管１５に接する部分の一部などが液化して油になるが、この油は自重により移動して配管１５の相対的に低位の部位に流入して滞留する。この配管１５の低位の部位に滞留した油はその量が増大するとガスの通流を阻害するので、配管１５から排出させる必要がある。このためにガス放出装置９に設けられているのが第二ドレン管５である。第二ドレン管５が設けられることによりガス放出装置９では、配管１５の低位の部位に流入した油によるガスの通流の阻害の発生は生じない。そうして第二ドレン管５には、第二ドレン管５からガスがバイパスして排出されるのを防止するためのシール部５１が備えられている。
【０００６】
ガス放出装置９では図２に示されているように、シール部５１は第二ドレン管５に用いられている管状材をＵ字状および逆Ｕ字状に形成した部分をほぼ連続させて配置し、前記油を一時的に滞留させる部位として形成されている。シール部５１に一時的に滞留される油により、第二ドレン管５からのガスの排出が防止される。なお、第二ドレン管５の設置数は、配管１５の配置状態により相対的に低位の部位の発生個所の数が異なるので、１個所または複数個所であることが一般である。第二ドレン管５の設置数が複数個所である場合には、個々の第二ドレン管５毎にシール部５１を備える場合と、一部または全ての第二ドレン管５に共通にシール部５１を備える場合とが知られている。
【特許文献１】
特開平１１−２２４１５号公報（第２，３頁、第２，３図）
【０００７】
【発明が解決しようとする課題】
前述した従来技術によるガス放出装置９はシール部５１を有する第二ドレン管５を備えていることで、定常運転状態においては、相対的に低位の部位が形成されている配管１５であっても、この低位の部位に流入した油によるガスの通流阻害の問題は生じない。しかしながら、次記するような問題点が見出されその解決が望まれている。すなわち、新設直後の蒸気タービンなどが備えるガス放出装置９ではシール部５１に油が溜まっていないので、第二ドレン管５からガスがバイパスして排出されるのを阻止できない。この第二ドレン管５からのガスの排出は、シール部５１の管状材がＵ字状に形成された部分の少なくとも底部が油（ガス中に含まれる油分が配管１５内で液化することで生じた油）によって満たされて、第二ドレン管５のガスの通流路が油により塞がれるようになるまで継続される。
【０００８】
そうして、第二ドレン管５から排出されたガスに含まれる油分により油処理体８の周辺部の床面，壁面，配管外面などが汚され、かつ極めて滑り易くなるなどにより、蒸気タービンの運転・保守に必要な作業などを実施するうえで不都合が生じている。この発明は、前述の従来技術の問題点に鑑みなされ、その目的は、新設直後などに第二ドレン管からガスがバイパスして排出されるのを短時間で防止することができる油タンク用のガス放出装置を提供することにある。
【０００９】
【課題を解決するための手段】
この発明では前述の目的は、
１）油タンク内のガスを配管を介して油タンクが設置された建屋の外部に放出する油タンク用のガス放出装置において、前記配管のガスの放出側端部に設置されて放出される前記ガスに含まれる油分を捕集する油分捕集体と、この油分捕集体で捕集された油を油分捕集体から排出する第一ドレン管と、前記油分が前記配管中で液化することで生成された油を配管から排出すると共に，この油を用いて前記ガスのバイパスを防止するシール部を有する第二ドレン管とを備え、前記第一ドレン管の油の排出側端部はこの端部から排出される油が前記シール部に流入されるように第二ドレン管に接続されることにより達成される。
【００１０】
【発明の実施の形態】
以下この発明の実施の形態を図１を参照して詳細に説明する。なお以下の説明では、図２に示した従来例の油タンク用のガス放出装置と同一部分には同じ符号を付しその説明を省略する。図１はこの発明の実施の形態の一例による油タンク用のガス放出装置の概要を示す説明図である。図１において、１は図２に示した従来例によるガス放出装置９に対して、第一ドレン管７の油の排出側端部をこの端部から排出される油がシール部５１に流入されるように、例えば、第二ドレン管５のシール部５１の管状材がＵ字状に形成された部分と逆Ｕ字状に形成された部分とが連続して配置されている部位に接続したこの発明によるガス放出装置である。
【００１１】
図１に示すこの発明の実施の形態の一例によるガス放出装置１では前述の構成としたので、シール部５１に一時的に滞留され第二ドレン管５からガスがバイパスして排出されるのを防止する油には、ガス放出装置９の場合のガス中に含まれる油分が配管１５内で液化することで生じた油の他に、油分捕集体６で捕集された油が加わる。ガス放出装置ではガスに含まれる油分の大部分は油分捕集体６で液化されて油になるので、ガス放出装置１では、シール部５１に供給される油の量は従来例のガス放出装置９の場合と対比して大幅に増大される。したがって、新設直後の蒸気タービンなどが備えるガス放出装置１の場合では、シール部５１の管状材がＵ字状に形成された部分の少なくとも底部が油によって満たされるまでに要する時間は、ガス放出装置９の場合よりも大幅に短縮される。これによりガス放出装置１では、シール部５１に油が溜まっていないことで生じる第二ドレン管５からのガスのバイパス排出量は、ガス放出装置９の場合よりも極めて少量になり、第二ドレン管５から排出されたガスに含まれる油分が原因での床面，壁面，配管外面などの汚損による前記諸問題を実質的に解消することができる。
【００１２】
なお、複数の第二ドレン管５が設置されていることで複数のシール部５１が備えられたガス放出装置の場合には、油分捕集体６で捕集された油はそれぞれのシール部５１に供給されることを要する。なおまた、前述の説明では、ガス放出装置１が備える油処理体８は捕集された油を回収するための容器であるとしてきたが、これに限定されるものではなく、例えば、特許文献１の一つの実施の形態例で廃液処理系統として示された装置と同様の構成のものであってもよい。さらにまた、前述の説明では、シール部５１は第二ドレン管５に用いられている管状材をＵ字状および逆Ｕ字状に形成した部分をほぼ連続させて配置することで形成されるとしてきたが、これに限定されるものではなく、第一ドレン管７から排出された油や，ガス中に含まれる油分が配管１５内で液化することで生じた油を使用して、第二ドレン管５からのガスのバイパス排出を防止できるのならば、適宜の構成のものを採用することができる。
【００１３】
【発明の効果】
この発明による油タンク用のガス放出装置では前記課題を解決するための手段の項で述べた構成とすることで、シール部５１に供給される油の量の大幅な増大が可能になる。これにより、新設直後の蒸気タービンなどが備えるガス放出装置１の場合に、第二ドレン管５からのガスのバイパス排出量が極めて少量になり、第二ドレン管５から排出されたガスに含まれる油分が原因での床面，壁面，配管外面などの汚損による諸問題を実質的に解消することが可能になるとの効果を得られる。
【図面の簡単な説明】
【図１】この発明の実施の形態の一例による油タンク用のガス放出装置の概要を示す説明図
【図２】従来例の油タンク用のガス放出装置の概要を示す説明図
【符号の説明】
１    ガス放出装置
５    第二ドレン管
５１    シール部
【図１】
2004245065.tif 000003
【図２】
2004245065.tif 000004